(57)【要約】ビジネスオブジェクト情報を提供する方法及び装置を本出願の実施形態において開示する。方法は、第１ユーザの身体特性データの記憶に使用される第１データベースをサーバが事前に構築することと、対象第１ユーザである顧客に関して第１ビジネスオブジェクト情報セットを決定することと、第１データベースに基づいて対象第１ユーザの対象身体特性データを決定することと、対象身体特性データに一致する対象モデルのインベントリが第１ビジネスオブジェクト情報セットのビジネスオブジェクトに存在するか否かを決定することと、決定結果に基づいてビジネスオブジェクト情報を対象第１ユーザである顧客に提供することと、を含む。本出願の実施形態を通して、無効な情報の送信が原因のネットワークリソースの無駄を削減でき、顧客のリストインタフェースに表示される情報の有効性が向上する。
2018524738.tif 000002
【特許請求の範囲】
【請求項１】
ビジネスオブジェクト情報を提供する方法であって、
第１ユーザの身体特性データの記憶に使用される第１データベースをサーバが事前に構築することと、
対象第１ユーザである顧客に関して第１ビジネスオブジェクト情報セットを決定することと、
前記第１データベースに基づいて前記対象第１ユーザの対象身体特性データを決定することと、
前記対象身体特性データに一致する対象モデルのインベントリが前記第１ビジネスオブジェクト情報セットのビジネスオブジェクトに存在するか否かを決定することと、
決定結果に基づいて前記対象第１ユーザである前記顧客にビジネスオブジェクト情報を提供することと、
を含む、前記方法。
【請求項２】
前記第１データベースに基づいて前記対象第１ユーザの前記対象身体特性データを決定することは、前記第１ビジネスオブジェクト情報セットの前記ビジネスオブジェクトが属するカテゴリと、前記カテゴリと前記参照寸法との事前に構築された対応関係とに基づいて、前記身体特性データの対応する参照寸法の前記対象第１ユーザの前記対象身体特性データを前記第１データベースから抽出することを含む、請求項１に記載の方法。
【請求項３】
前記対象身体特性データに一致する前記対象モデルの前記インベントリが前記第１ビジネスオブジェクト情報セットの前記ビジネスオブジェクトに存在するか否かを決定することは、
前記第１ユーザの前記身体特性データに一致する前記第１ビジネスオブジェクト情報セットの前記ビジネスオブジェクトの前記対象モデルを決定することと、
前記ビジネスオブジェクトの前記対象モデルが在庫しているか否かをインベントリセンタのサーバにアクセスすることによって決定することと、
を含む、請求項１に記載の方法。
【請求項４】
第２データベースを事前に構築することをさらに含み、前記第２データベースは、前記ビジネスオブジェクトの前記モデルと身体特性データ範囲との第１対応関係の記憶に使用され、各ビジネスオブジェクトカテゴリは、異なる第１対応関係に対応し、前記身体特性データの寸法は、異なる第１対応関係において異なり、前記第１ユーザの前記身体特性データに一致する前記第１ビジネスオブジェクト情報セットの前記ビジネスオブジェクトの前記対象モデルを決定することは、 
前記第１ビジネスオブジェクト情報セットの前記ビジネスオブジェクトに関して、前記ビジネスオブジェクトが属する対象カテゴリを決定することと、
前記対象カテゴリに対応する第１対応関係を決定することと、
前記対象身体特性データが、前記第１対応関係の対象身体特性データ範囲にある時、前記対象身体特性データ範囲に対応するモデルを、一致した対象モデルに設定することと、
を含む、請求項３に記載の方法。
【請求項５】
前記対象第１ユーザの前記顧客に関して前記第１ビジネスオブジェクト情報セットを決定することは、前記対象第１ユーザである前記顧客から指定カテゴリを閲覧する閲覧要求を受信すると、前記閲覧要求に含まれた前記指定カテゴリの情報に基づいて、前記第１ビジネスオブジェクト情報セットを決定することを含み、
前記第１ビジネスオブジェクト情報セットの前記ビジネスオブジェクトに関して前記ビジネスオブジェクトが属する前記対象カテゴリを決定することは、前記閲覧要求に含まれる前記指定カテゴリの前記情報を、前記ビジネスオブジェクトが属する前記対象カテゴリとして設定することを含む、
請求項４に記載の方法。
【請求項６】
前記対象第１ユーザである前記顧客に関して前記第１ビジネスオブジェクト情報セットを決定することは、前記対象第１ユーザの前記顧客から検索要求を受信すると、前記検索要求に含まれる検索キーワードに基づいて前記第１ビジネスオブジェクト情報セットを決定することを含み、
前記検索要求に含まれる前記検索キーワードに対応するカテゴリ情報を決定することは、前記ビジネスオブジェクトが属する前記対象カテゴリとして前記カテゴリ情報を設定することを含む、
請求項４に記載の方法。
【請求項７】
第３データベースを事前に構築することをさらに含み、前記第３データベースは、前記ビジネスオブジェクトの前記モデルと前記身体特性データ範囲との第２対応関係の記憶に使用され、前記ビジネスオブジェクトは、前記第２対応関係に個々に対応し、前記第１ユーザの前記身体特性データに一致する前記第１ビジネスオブジェクト情報セットの前記ビジネスオブジェクトの前記対象モデルを決定することは、
前記第１ビジネスオブジェクト情報セットの前記対象ビジネスオブジェクトに関して、前記対象ビジネスオブジェクトに対応する対象第２対応関係を決定することと、
前記対象特性データが前記対象第２対応関係の対象身体特性データ範囲にある時、前記対象身体特性データ範囲に対応するモデルを一致した対象モデルに設定することと、
を含む、請求項３に記載の方法。
【請求項８】
前記決定結果に基づいて、前記対象第１ユーザである前記顧客に前記ビジネスオブジェクト情報を提供することは、
対象モデルが在庫しているビジネスオブジェクトを用いて第２ビジネスオブジェクトセットを形成することと、
前記第２ビジネスオブジェクトセットを用いて、リストページの表示コンテンツを前記顧客に提供することと、
を含む、請求項１に記載の方法。
【請求項９】
前記対象モデルが在庫している前記ビジネスオブジェクトに関して、前記対象モデルの情報を提供して、前記第１ユーザである前記顧客が前記ビジネスオブジェクトの前記対象モデルの前記情報をリストページに表示できるようにすることをさらに含む、請求項１に記載の方法。
【請求項１０】
前記対象モデルが在庫している前記ビジネスオブジェクトに関して、前記対象モデルの前記情報を提供することは、前記対象モデルが在庫している前記ビジネスオブジェクトに関して、前記ビジネスオブジェクトの各リンクのテキストに、前記対象モデルの前記情報を追加することを含む、請求項９に記載の方法。
【請求項１１】
ビジネスオブジェクト情報を提供する方法であって、
第１ユーザ顧客がサーバからビジネスオブジェクト情報を受信することであって、前記ビジネスオブジェクト情報は、第１ユーザの身体特性データの記憶に使用される第１データベースを前記サーバが事前に構築すること、対象第１ユーザである顧客に関して第１ビジネスオブジェクト情報セットを決定すること、前記第１データベースに基づいて前記対象第１ユーザの対象身体特性データを決定すること、前記対象身体特性データに一致する対象モデルのインベントリが前記第１ビジネスオブジェクト情報セットのビジネスオブジェクトに存在するか否かを決定すること、及び、決定結果に基づいてビジネスオブジェクト情報を前記第１ユーザ顧客に提供することを含む方法を用いて、前記サーバにより決定される、前記ビジネスオブジェクト情報を受信することと、
前記受信したビジネスオブジェクト情報に基づいて、表示コンテンツをリスト表示ページに生成することと、
を含む、前記方法。
【請求項１２】
前記サーバによって返信される前記情報は、前記ビジネスオブジェクトに対応する前記モデルをさらに含み、前記方法は、前記リスト表示ページに前記モデルの情報を表示することをさらに含む、請求項１１に記載の方法。
【請求項１３】
前記モデルの前記情報を前記リスト表示ページに表示することは、前記モデルの前記情報を前記ビジネスオブジェクトのリンクのテキストに表示することを含む、請求項１２に記載の方法。
【請求項１４】
前記サーバによって返信される前記情報は、前記第１ビジネスオブジェクトセットの前記ビジネスオブジェクトが同じ対象カテゴリに属する時、前記対象カテゴリに対応する参照寸法に関して、前記対象第１ユーザの対象身体特性データをさらに含み、前記方法は、前記対象カテゴリに対応する前記参照寸法の前記対象第１ユーザの前記対象身体特性データを前記リスト表示ページに表示することをさらに含む、請求項１２に記載の方法。
【請求項１５】
前記参照寸法の前記身体特性データを編集する操作オプションを前記リストページに提供することと、
前記操作オプションを通して修正された身体特性データが受信されると、前記修正された身体特性データを前記サーバにアップロードして、前記サーバが、前記修正された身体特性データに基づいて、提供されたビジネスオブジェクト情報を更新できるようにすることと、
をさらに含む、請求項１４に記載の方法。
【請求項１６】
ビジネスオブジェクト情報を提供する装置において、前記装置はサーバに適用され、
第１ユーザの身体特性データの記憶に使用される第１データベースをサーバが事前に構築するために使用される第１データデータベース作成ユニットと、
対象第１ユーザである顧客に関して、第１ビジネスオブジェクト情報セットを決定するために使用される第１セット決定ユニットと、
前記第１データベースに基づいて、前記対象第１ユーザの対象身体特性データを決定するために使用される対象身体特性データ決定ユニットと、
前記対象身体特性データに一致する対象モデルのインベントリが前記第１ビジネスオブジェクト情報セットのビジネスオブジェクトに存在するか否かを決定するために使用されるインベントリ決定ユニットと、
決定結果に基づいて、前記対象第１ユーザの前記顧客にビジネスオブジェクト情報を提供するために使用されるビジネスオブジェクト情報提供ユニットと、
を含む、前記装置。
【請求項１７】
前記対象身体特性データ決定ユニットは、前記第１ビジネスオブジェクト情報セットの前記ビジネスオブジェクトが属するカテゴリと、前記カテゴリと前記参照寸法との事前に構築された対応関係とに基づいて、前記身体特性データの対応する参照寸法の前記対象第１ユーザの前記対象身体特性データを、前記第１データベースから抽出するために使用される、請求項１６に記載の装置。
【請求項１８】
前記インベントリ決定ユニットは、
前記第１ユーザの前記身体特性データに一致する前記第１ビジネスオブジェクト情報セットの前記ビジネスオブジェクトの前記対象モデルを決定するために使用される対象モデル決定サブユニットと、
前記ビジネスオブジェクトの前記対象モデルが在庫しているか否かをインベントリセンタのサーバにアクセスすることによって決定するために使用される決定サブユニットと、
を含む、請求項１７に記載の装置。
【請求項１９】
第２データベースを事前に構築するために使用される第２データベース作成ユニットをさらに含み、前記第２データベースは、前記ビジネスオブジェクトの前記モデルと身体特性データ範囲との第１対応関係の記憶に使用され、各ビジネスオブジェクトカテゴリは、異なる第１対応関係に対応し、前記身体特性データの寸法は、異なる第１対応関係において異なり、前記対象モデル決定サブユニットは、
前記第１ビジネスオブジェクト情報セットの前記ビジネスオブジェクトに関して、前記ビジネスオブジェクトが属する対象カテゴリを決定するために使用される対象カテゴリ決定サブユニットと、
前記対象カテゴリに対応する第１対応関係を決定するために使用される対象第１対応関係決定サブユニットと、
前記対象身体特性データが前記第１対応関係の対象身体特性データ範囲にある時、前記対象身体特性データ範囲に対応するモデルを前記一致した対象モデルに設定するために使用される第１対象モデル決定サブユニットと、
を含む、請求項１８に記載の装置。
【請求項２０】
前記第１セット決定ユニットは、前記対象第１ユーザである前記顧客から指定カテゴリを閲覧する閲覧要求を受信すると、前記閲覧要求に含まれる前記指定カテゴリの情報に基づいて、前記第１ビジネスオブジェクト情報セットを決定するために使用され、
前記対象カテゴリ決定サブユニットは、前記閲覧要求に含まれる前記指定カテゴリの前記情報を、前記ビジネスオブジェクトが属する前記対象カテゴリとして設定するために使用される、
請求項１９に記載の装置。
【請求項２１】
前記第１セット決定ユニットは、前記対象第１ユーザである前記顧客から検索要求を受信すると、前記検索要求に含まれる検索キーワードに基づいて、前記第１ビジネスオブジェクト情報セットを決定するために使用され、
前記対象カテゴリ決定サブユニットは、前記検索要求に含まれる前記検索キーワードに対応するカテゴリ情報を決定し、前記カテゴリ情報を前記ビジネスオブジェクトが属する前記対象カテゴリとして設定するために使用される、
請求項２０に記載の装置。
【請求項２２】
第３データベースを事前に構築するために使用される第３データベース作成ユニットをさらに含み、前記第３データベースは、前記ビジネスオブジェクトの前記モデルと前記身体特性データ範囲との第２対応関係を記憶するために使用され、前記ビジネスオブジェクトは、前記第２対応関係に個々に対応し、前記対象モデル決定サブユニットは、
前記第１ビジネスオブジェクト情報セットの前記対象ビジネスオブジェクトに関して前記対象ビジネスオブジェクトに対応する対象第２対応関係を決定するために使用される対象第２対応関係決定サブユニットと、
前記対象特性データが前記対象第２対応関係の対象身体特性データ範囲にある時、前記対象身体特性データ範囲に対応するモデルを一致した対象モデルに設定するために使用される第２対象決定サブユニットと、
を含む、請求項１９に記載の装置。
【請求項２３】
前記ビジネスオブジェクト情報提供ユニットは、 
対象モデルが在庫しているビジネスオブジェクトを使用して、第２ビジネスオブジェクトセットを形成するために使用される第２ビジネスオブジェクトセット決定サブユニットと、
前記第２ビジネスオブジェクトセットを用いて、リストページの表示コンテンツを前記顧客に提供するために使用される提供サブユニットと、
を含む、請求項１７に記載の装置。
【請求項２４】
対象モデル情報提供ユニットをさらに含み、前記対象モデル情報提供ユニットは、前記対象モデルが在庫している前記ビジネスオブジェクトに関して、前記対象モデルの情報を提供するために使用されて、前記第１ユーザである前記顧客が、前記ビジネスオブジェクトの前記対象モデルの前記情報をリストページに表示するのを可能にする、請求項１７に記載の装置。
【請求項２５】
前記対象モデル情報提供ユニットは、前記対象モデルが在庫している前記ビジネスオブジェクトに関して、前記対象モデルの前記情報を前記ビジネスオブジェクトの各リンクのテキストに追加するために使用される、請求項２４に記載の装置。
【請求項２６】
身体特性データ提供ユニットをさらに含み、前記身体特性データ提供ユニットは、前記第１ビジネスオブジェクトセットの前記ビジネスオブジェクトが全て対象カテゴリに属する時、前記対象カテゴリに対応する参照寸法の前記対象第１ユーザの対象身体特性データを前記第１ユーザである前記顧客に提供するために使用されて、前記第１ユーザである前記顧客が、前記対象身体特性データをリストページに表示するのを可能にする、請求項１７に記載の装置。
【請求項２７】
ビジネスオブジェクト情報を提供する装置であって、
第１ユーザ顧客がサーバからビジネスオブジェクト情報を受信するために使用される情報受信ユニットであって、前記ビジネスオブジェクト情報は、第１ユーザの身体特性データの記憶に使用される第１データベースを前記サーバが事前に構築すること、対象第１ユーザである顧客に関して第１ビジネスオブジェクト情報セットを決定すること、前記第１データベースに基づいて前記対象第１ユーザの対象身体特性データを決定すること、前記対象身体特性データに一致する対象モデルのインベントリが前記第１ビジネスオブジェクト情報セットのビジネスオブジェクトに存在するか否かを決定すること、及び、決定結果に基づいてビジネスオブジェクト情報を前記第１ユーザ顧客に提供することを含む方法を用いて前記サーバによって決定される、前記情報受信ユニットと、
前記受信したビジネスオブジェクト情報に基づいて、リスト表示ページに表示コンテンツを生成するために使用される表示コンテンツ生成ユニットと、
を含む、前記装置。
【請求項２８】
前記サーバによって返信される前記情報は、前記ビジネスオブジェクトに対応する前記モデルをさらに含み、前記装置は、前記モデルの情報を前記リスト表示ページに表示するために使用される対象モデル情報提供ユニットをさらに含む、請求項２７に記載の装置。
【請求項２９】
前記対象モデル情報提供ユニットは、前記ビジネスオブジェクトのリンクのテキストに、前記モデルの前記情報を表示するために使用される、請求項２８に記載の装置。
【請求項３０】
前記サーバによって返信される前記情報は、前記第１ビジネスオブジェクトセットの前記ビジネスオブジェクトが同じ対象カテゴリに属する時、前記対象カテゴリに対応する参照寸法に関して、前記対象第１ユーザの対象身体特性データをさらに含み、前記装置は、前記対象カテゴリに対応する前記参照寸法の前記対象第１ユーザの前記対象身体特性データを前記リスト表示ページに表示するために使用される身体特性データ提供ユニットをさらに含む、請求項２７に記載の装置。
【請求項３１】
前記参照寸法の前記身体特性データを編集する操作オプションを前記リストページに提供するために使用される編集オプション提供ユニットと、
前記操作オプションを通して修正された身体特性データが受信されると、前記修正された身体特性データを前記サーバにアップロードするために使用されて、前記サーバが、前記修正された身体特性データに基づいて、提供されたビジネスオブジェクト情報を更新するのを可能にする修正データアップロードユニットと、
をさらに含む、請求項３０に記載の装置。
【発明の詳細な説明】
【技術分野】
【０００１】
関連出願の相互参照
本出願は、２０１５年７月１７日出願の中国特許出願番号第２０１５１０４２５２３１．１号「Ｍｅｔｈｏｄ  ａｎｄ  Ａｐｐａｒａｔｕｓ  ｆｏｒ  ＰｒｏｖｉｄｉｎｇＢｕｓｉｎｅｓｓ  Ｏｂｊｅｃｔ  Ｉｎｆｏｒｍａｔｉｏｎ」の優先権を主張し、その全体を参照により本明細書に組み込む。
【０００２】
本出願は、ビジネスオブジェクトの情報処理の技術分野に関し、詳細には、ビジネスオブジェクト情報を提供する方法及び装置に関する。
【背景技術】
【０００３】
電子商取引販売プラットフォームは、ユーザがトリガしたカテゴリに従って閲覧すること、検索基準に従って検索を行うこと、または、サーバがトリガしたユーザ嗜好に従って推薦を行うこと等を含む多くの異なる方法で購入ユーザにビジネスオブジェクトを提供する。購入ユーザは、購入、コレクションに保存等の操作を行うため、複数のビジネスオブジェクトのリンク情報のリストを含むページから興味のあるものを選択できる。あるビジネスオブジェクトは、モデル属性を有する。この種のビジネスオブジェクトを選択すると、ユーザは、一般に、例えば、ビジネスオブジェクトのスタイルに加えて、ユーザに適切なモデルも選択する必要がある。例には、ブラジャー、靴、ジーンズ、化粧品等が含まれる。
【０００４】
既存の技術においては、ビジネスオブジェクトのリンクは、ビジネスオブジェクトリストのページに通常、表示される。さらに、ユーザが見るのに便利なように、リンクは、一般的に、２つの部分から形成される。１つの部分は、画像（例えば、関連するビジネスオブジェクトの説明的な画像のサムネイル画像）である。情報の他の部分は、タイトル、販売量等のテキスト情報である。ユーザは、これらのリンク画像またはリンクテキストを参照ベースとして用いて、興味のあるスタイルを選択できる。購入ユーザがリストページであるリンクを選択した後、リダイレクトされたビジネスオブジェクトの詳細ページに特定のモデルが表示され、そこからユーザは選択を行う。必要なモデルを選択後、購入ユーザは、購入、「ショッピングカート」に追加等、さらなる操作を行うことができる。
【０００５】
しかしながら、既存の技術では通常、以下の状況が生じる。リストページであるビジネスオブジェクトを選択し、その詳細ページでモデルの選択を試みた後、購入ユーザは、適切なモデルが存在しない、または、適切なモデルが在庫切れであることを知り、購入できない。この場合、購入ユーザは、リストページに戻って他のビジネスオブジェクトを選択することしかできない。これは、明らかに、購入ユーザの時間を無駄にし、結果として効率が悪く、ユーザ体験に影響を与える。システムの観点からは、ユーザが繰り返しページを切り替えることは、システムのリソースを占有し、サーバのアクセス負担を増やし得る。
【発明の概要】
【０００６】
本出願は、ビジネスオブジェクトの情報を提供する方法及び装置を提供する。方法及び装置は、無効な情報の送信が原因のネットワークリソースの無駄を削減でき、顧客のリストインタフェースに表示される情報の有効性を向上させることができる。
【０００７】
本出願は、以下の技術的解決法を提供する。
【０００８】
ビジネスオブジェクトの情報を提供する方法は、第１ユーザの身体特性データの記憶に使用される第１データベースをサーバが予め構築することと、対象第１ユーザである顧客に関して第１ビジネスオブジェクト情報セットを決定することと、第１データベースに基づいて対象第１ユーザの対象身体特性データを決定することと、対象身体特性データに一致する対象モデルのインベントリが、第１ビジネスオブジェクト情報セットのビジネスオブジェクトに存在するか否かを決定することと、決定結果に基づいて対象第１ユーザである顧客にビジネスオブジェクト情報を提供することと、を含む。
【０００９】
ビジネスオブジェクトの情報を提供する方法は、第１ユーザ顧客がサーバからビジネスオブジェクト情報を受信することであって、ビジネスオブジェクト情報は、第１ユーザの身体特性データの記憶に使用される第１データベースをサーバが事前に構築すること、対象第１ユーザである顧客に関して第１ビジネスオブジェクト情報セットを決定すること、第１データベースに基づいて対象第１ユーザの対象身体特性データを決定することと、対象身体特性データに一致する対象モデルのインベントリが第１ビジネスオブジェクト情報セットのビジネスオブジェクトに存在するか否かを決定すること、及び、決定結果に基づいてビジネスオブジェクト情報を第１ユーザ顧客に提供することを含む方法を使用してサーバにより決定される、ビジネスオブジェクト情報を受信することと、受信したビジネスオブジェクト情報に基づいて、リスト表示ページに表示コンテンツを生成することとを含む。
【００１０】
ビジネスオブジェクトの情報を提供する装置は、第１ユーザの身体特性データを記憶するために使用される第１データベースをサーバが事前に構築するために使用される第１データデータベース作成ユニットと、対象第１ユーザである顧客に関して第１ビジネスオブジェクト情報セットを決定するために使用される第１セット決定ユニットと、第１データベースに基づいて対象第１ユーザの対象身体特性データを決定するために使用される対象身体特性データ決定ユニットと、対象身体特性データと一致する対象モデルのインベントリが第１ビジネスオブジェクト情報セットのビジネスオブジェクトに存在するか否かを決定するために使用されるインベントリ決定ユニットと、決定結果に基づいて、対象第１ユーザである顧客にビジネスオブジェクト情報を提供するために使用されるビジネスオブジェクト情報提供ユニットとを含む。
【００１１】
ビジネスオブジェクトの情報を提供する装置は、第１ユーザ顧客がサーバからビジネスオブジェクト情報を受信するために使用される情報受信ユニットであって、ビジネスオブジェクト情報は、第１ユーザの身体特性データの記憶に使用される第１データベースをサーバが事前に構築すること、対象第１ユーザである顧客に関して第１ビジネスオブジェクト情報セットを決定すること、第１データベースに基づいて対象第１ユーザの対象身体特性データを決定すること、対象身体特性データに一致する対象モデルのインベントリが第１ビジネスオブジェクト情報セットのビジネスオブジェクトに存在するか否かを決定すること、及び、決定結果に基づいてビジネスオブジェクト情報を第１ユーザ顧客に提供することを含む方法を使用して、サーバによって提供される、情報受信ユニットと、受信したビジネスオブジェクト情報に基づいて、リスト表示ページに表示コンテンツを生成するために使用される表示コンテンツ生成ユニットとを含む。
【００１２】
本出願によって提供される実施形態の詳細に従って、本出願は、以下の技術的長所を開示する。
【００１３】
本出願の実施形態を用いて、第１ユーザの身体特性データを前もって記憶できる。こうして、ビジネスオブジェクト情報セットが、第１ユーザに提供されると、ユーザの身体特性データを、最初に、ビジネスオブジェクトのモデルと一致させることができ、ビジネスオブジェクトの一致したモデルが在庫しているか否かについて決定が行われる。そして、ビジネスオブジェクト情報が、決定結果に基づいて提供できる。例えば、在庫している一致したモデルのビジネスオブジェクト情報のみが、第１ユーザである顧客に提供される。これは、無効な情報の送信が原因のネットワークリソースの無駄を削減できる。さらに、顧客のリストインタフェースに表示される情報の有効性が向上する。これは、モバイルデバイス等の小さい画面のデバイスで閲覧される状況に特に当てはまる。各画面に表示されるビジネスオブジェクトの数は限られているので、情報の有効性の向上は、より意味がある。
【００１４】
本出願を実施する製品はいずれも、同時に上記長所を全て達成する必要がないことは明らかである。
【００１５】
本出願の実施形態の技術的解決法または既存の技術をより良く記載するために、実施形態にとって必要な添付図面を本明細書で簡単に説明する。本明細書で説明する添付図面は、単に本出願の実施形態の一部を表すことは明らかである。当業者は、創造的努力無しに、これらの添付図面を用いて他の図面も取得できる。
【図面の簡単な説明】
【００１６】
【図１】本出願の実施形態によって提供される方法のフローチャートである。
【図２−１】本出願の実施形態によって提供される顧客のリストページの概略図である。
【図２−２】本出願の実施形態によって提供される顧客の別のリストページの概略図である。
【図３】本出願の実施形態によって提供される別の方法のフローチャートである。
【図４】本出願の実施形態によって提供される装置の概略図である。
【図５】本出願の実施形態によって提供される別の装置の概略図である。
【発明を実施するための形態】
【００１７】
本出願の実施形態の技術的解決法を、本出願の実施形態の添付図面と共に、明瞭で総合的に記載する。記載の実施形態は、実施形態の全てではなく一部のみを表すことは明らかである。本出願の実施形態に基づいて、当業者によって取得される全ての他の実施形態は、本出願の保護の範囲に該当するものとする。
【００１８】
本出願の実施形態の実施中、あるビジネスオブジェクトが、現在の第１ユーザ（販売プラットフォームにおける購入ユーザであってよく、販売プラットフォームの販売ユーザまたは商人は、対応して、第２ユーザと呼ぶことができる）にとって適切なモデルを有さない場合、または、適切なモデルが在庫切れの場合、ビジネスオブジェクトリストがこのビジネスオブジェクトを購入ユーザに提供すると、これは、実際には無効な情報であることに本出願の発明者は注目した。ネットワーク送信の観点から、または、顧客のユーザインタフェースに表示される時は表示エリアの占有状態の観点からに関わらず、この種類の情報は無駄である。この考慮事項に基づいて、第１ユーザの、例えば、身長、ウエストライン、足長、肌質等を含む第１ユーザの身体特性データは、本出願の実施形態においては、前もって記憶できる。こうして、ビジネスオブジェクト情報が第１ユーザに提供される時、第１ユーザに適し、且つ、在庫があるモデルのビジネスオブジェクト情報が、最初に、第１ユーザの身体特性データに基づいて選択でき、次に、この種の情報が第１ユーザに提供される。従って、第１ユーザに提供されるビジネスオブジェクト情報の有効性が向上し、無効な情報が原因のリソースの無駄が削減される。
【００１９】
最初に、本出願の実施形態を、サーバの観点から記載する。
【００２０】
第１の実施形態
図１を参照すると、この第１の実施形態は、ビジネスオブジェクトの情報を提供する方法である。方法は、以下の操作を含んでよい。
【００２１】
Ｓ１０１において、サーバは、第１データベースを事前に構築する。第１データベースは、第１ユーザの身体特性データの記憶に使用される。第１データベースは、第１ユーザの身体特性データの記憶に主に使用され、特定の実施態様においては、例えば、表１に示すようなものであってよい。
【００２２】
【表１】
2018524738.tif 000003
【００２３】
上記第１データベースは、多くの異なる方法で取得できる。
【００２４】
例えば、１つのアプローチにおいては、これは、第１ユーザが入力したユーザ情報等の情報から取得できる。取得できるデータは、ユーザが入力した情報の完全性の差によって異なることは明らかである。
【００２５】
あるいは、別のアプローチにおいては、ユーザは、ユーザが購入したビジネスオブジェクトに関するコメント情報を入力する（例えば、あるジーンズに関するコメント情報を入力する）時、ユーザの身体特性データを通常、入力し、システムは、ウエストライン等の情報を入力する操作のオプションを第１ユーザに提供できる。このようにして、自分の購入体験の詳細を他の第１ユーザと共有する必要がある場合、ある第１ユーザは、この操作オプションを通して自分のウエストラインに関するデータを入力できる。従って、この情報は、他の第１ユーザにとってより高い参照価値がある。この状況において、第１ユーザに関する身体特性データは、コメント情報データベースに存在してよく、コメント情報データベースから、この種のデータを抽出できる。
【００２６】
別の実施態様においては、ある取引プラットフォームは、第２ユーザであるカスタマーサービス担当者と通信する機能も第１ユーザに提供するので、第１ユーザは、特定のビジネスオブジェクトを選択する前に、モデル選択等の質問に関して、第２ユーザであるカスタマーサービス担当者と通信できる。このプロセス中、第１ユーザは、第１ユーザの身体特性データを述べてよい。例えば、あるジーンズを購入する時、第１ユーザは、自分のウエストサイズを述べてよく、また、カスタマーサービスに自分がどのモデルを購入する必要があるか等を尋ねてよい。サーバは、この種の会話データを記憶できる。よって、第１ユーザの身体特性データは、サーバに記憶されたこの種の会話データから抽出できる。
【００２７】
これら前述の実施態様において、収集される第１ユーザの身体特性データは、比較的、散在し得ることは明らかである。よって、多くの異なる種類のデータソースを組み合わせて、複数の身体特性データを抽出できる。例えば、ある第１ユーザのウエストサイズに関するデータは、過去のコメント情報から抽出され、この第１ユーザの肌質に関するデータは、第２ユーザのカスタマーサービス担当者との過去の会話データから抽出される等である。
【００２８】
さらに、本出願の実施形態によって必要とされる身体特性データを提出する操作オプションが、第１ユーザにさらに提供されてよい。例えば、操作オプションは、「設定」等のインタフェースに備えられてよい。従って、第１ユーザは、操作オプションを通して様々な身体特性データを入力、提出できる。
【００２９】
Ｓ１０２において、第１ビジネスオブジェクト情報セットが、対象第１ユーザである顧客に関して決定される。
【００３０】
サーバによって決定される第１ビジネスオブジェクト情報セットは、特定のビジネスシナリオに従って構成できる。例えば、ユーザがカテゴリに従って閲覧するシナリオにおいては、ユーザが指定したカテゴリタグを有するビジネスオブジェクト情報によって形成されたセットを提供できる。例は、ロングドレスのビジネスオブジェクトのセットを提供する等を含む。あるいは、ユーザが、検索を行うキーワードを入力すると、キーワードに対応するビジネスオブジェクト情報によって形成されたセットを提供できる。あるいは、積極的に推薦を行うプロセス中、サーバは、ユーザの過去の購入及び閲覧履歴等に基づいた分析からユーザの嗜好情報を取得し、ユーザが興味のあるビジネスオブジェクト情報によって形成されたセットをユーザに提供する。様々な特定のシナリオの下で特定のビジネスオブジェクト情報セットを取得する方法は、既存技術の記載を参照できるので、ここでは詳細に記載しない。
【００３１】
Ｓ１０３において、対象第１ユーザの対象身体特性データが、第１データベースに基づいて決定される。
【００３２】
第１ビジネスオブジェクトセットを決定後、第１ビジネスオブジェクト情報セットのデータを用いて特定の情報を第１ユーザである顧客に返信する前に、対象第１ユーザの対象身体特性データもＳ１０１で第１データベースに基づいて最初に決定できる。データベースは、表１に示す第１ユーザの複数の身体特性データ（すなわち、身長、ウエストサイズ、トップバスト測定値、アンダーバスト測定値等、複数の寸法の身体特性データ）を記憶してよいことに注目されたい。しかしながら、特定のビジネスオブジェクトに関しては、モデルを選択する時、１つまたは複数の寸法の身体特性データを参照の必要があり得る。さらに、参照する必要がある寸法は、ビジネスオブジェクトの異なるカテゴリによって異なってよい。例えば、参照の必要がある寸法は、ジーンズの場合はウエストサイズであってよく、参照の必要がある寸法が、トップバスト測定値及びアンダーバスト測定値等の場合もある。よって、ある特定の実施態様においては、カテゴリと身体特性データの参照寸法との各対応関係も、前もって構築されてよい。例を下記の表２に示す。
【００３３】
【表２】
2018524738.tif 000004
【００３４】
従って、対象第１ユーザの対象身体特性データを決定する時、対応する参照寸法（複数可）の対象第１ユーザの対象身体特性データは、第１ビジネスオブジェクト情報セットの特定のビジネスオブジェクトが属するカテゴリと、カテゴリと身体特性データの参照寸法との事前に構築された対応関係とに基づいて、第１データベースから抽出できる。例えば、ある第１ビジネスオブジェクトセットのビジネスオブジェクトは、「パンツ」のカテゴリに属する。この場合、上記表２をクエリすることによって決定できる対応する参照寸法は、「ウエストサイズ」である。従って、ウエストサイズに関連する寸法の第１ユーザの特定の身体特性データは、表１、すなわち、特定の胴囲から取得できる。
【００３５】
第１ビジネスオブジェクトセットのビジネスオブジェクトは、同じカテゴリに属してもよく、異なるカテゴリに属してもよい。ビジネスオブジェクトが属するカテゴリの情報は、多くの異なる方法で決定できる。例えば、最も直接的なアプローチにおいては、各ビジネスオブジェクトは、一般に、そのビジネスオブジェクトが属するカテゴリに関する属性情報を伝える。この情報は、ビジネスオブジェクト情報データベースに記憶される、または、タグによって、ビジネスオブジェクトの記載情報に組み込まれる。よって、ビジネスオブジェクトが属するカテゴリは、この種の情報に基づいて直接、決定できる。あるいは、別の実施態様においては、第１ビジネスオブジェクト情報セットは、第１ユーザによって提出された閲覧要求に従って取得されてよく、特定のカテゴリが、閲覧要求（すなわち、第１ユーザである顧客が送信したものが、特定のカテゴリの閲覧に関する閲覧要求である）を送信する前に選択されてよいので、第１ビジネスオブジェクト情報セットのビジネスオブジェクトは、通常、全て、この特定のカテゴリに属する。よって、セット内のビジネスオブジェクトが属するカテゴリは、閲覧要求に含まれる特定のカテゴリに基づいて直接、決定できる。さらに、第１ビジネスオブジェクト情報も、第１ユーザの検索要求に基づいて決定されてよい。第１ユーザである顧客によって送信される検索要求は、通常、検索キーワードも含み、この検索キーワードは、一般に、カテゴリとの関連付けを有してよい。さらに、この検索要求に関して取得される第１ビジネスオブジェクト情報セットのビジネスオブジェクトは全て、この検索キーワードに関連する。よって、検索要求に含まれる検索キーワードに対応するカテゴリ情報が、最初にさらに決定でき、このカテゴリ情報は、セット内のビジネスオブジェクトが属する対象カテゴリであると決定される。例えば、ある検索キーワードが「ジーンズ」であり、対応するカテゴリは、「パンツ」であると決定されてよい。よって、ビジネスオブジェクトセット内のビジネスオブジェクトが属するカテゴリは、「パンツ」であると決定される。要するに、後者の２つの方法を使用して、ビジネスオブジェクトが属するカテゴリは、ビジネスオブジェクトのタグを１つずつクエリする必要無く決定できるので、処理効率の向上を助ける。
【００３６】
Ｓ１０４において、第１ビジネスオブジェクト情報セットのビジネスオブジェクトに関して対象身体特性データに一致するモデル（複数可）が在庫しているか否かについて決定を行う。
【００３７】
第１ビジネスオブジェクト情報セットと対象第１ユーザの対象身体特性データとを決定した後、対象身体特性データに一致する対象モデルがセット内のビジネスオブジェクトに関して在庫しているか否かについて決定することができる。例えば、ジーンズを検索している第１ユーザにとって、第１ビジネスオブジェクトセットのビジネスオブジェクトは、ジーンズのカテゴリに属するこの基準を満たしてよい。しかしながら、ジーンズのモデルが第１ユーザの現在のニーズを満たすか否かは確かではない。よって、本出願の実施形態においては、最初に、決定が行われてよい。
【００３８】
ある特定の実施態様においては、この操作は、実施のために２つのサブ操作に分割することができる。最初に、現在の第１ユーザの身体特性データに一致するセット内のビジネスオブジェクトの対象モデルが決定される。次に、ビジネスオブジェクトの対象モデルが在庫しているか否かが、例えば、インベントリセンタサーバにアクセスする等の方法によって、決定される。例えば、ある第１ユーザが、ジーンズを検索する必要がある。その第１ユーザのウエストサイズは、５４ｃｍである。ある特定のビジネスオブジェクトに関して、このウエストデータに一致するモデルは、「サイズ２６」である。次に、ビジネスオブジェクトの「サイズ２６」のインベントリが存在するか否かに関して、インベントリセンタサーバにクエリを行ってよい。肯定の場合、このビジネスオブジェクトは、例えば、モデルに関する現在の第１ユーザのニーズを満たす。
【００３９】
理解を容易にするために、ユーザの身体特性データのモデルとビジネスオブジェクトとの区別及び関係を最初に記載する。ユーザの身体特性データは、一般に、測定値を通してユーザに関して取得されたデータである。例えば、現実世界での用途において長さを図るツールは、一般に、メートル尺である。よって、測定値から取得される身体特性データは、一般に、単位として「ｃｍ」を使用する。例えば、上記表１において、身長、ウエストサイズ、胸囲、足長等の身体特性データは、単位として「ｃｍ」を使用する。さらに、肌質に関する特定の身体特性データは、一般に、関連ツールを用いて取得でき、この身体特性データは、一般に、「脂性肌」、「乾燥肌」、「混合肌」等を含む。
【００４０】
ビジネスオブジェクトのモデルは、例えば、業界標準に基づいて決定される。異なるカテゴリのビジネスオブジェクトのモデルの表現は異なる。例えば、ブラジャーのモデルは、底部周囲サイズとカップサイズという２つの部分によって形成される。底部周囲サイズは、一般に、胸の全長サイズで表され、カップサイズは、一般に、Ａ、Ｂ、Ｃ等の英語の大文字で表される。例は、７０Ａ、７５Ｂ等である。靴のサイズの種類は、３５〜４２等の靴サイズによって表される。ジーンズのモデルは、多くの異なる表示を有する。例えば、「Ｌ」はラージを表し、「Ｍ」はミディアムを表し、「Ｓ」はスモールを表し、「ＸＬ」は、エクストララージを表し、「ＸＸＬ」はエクストラエクストララージを表す。あるいは、ジーンズのモデルは、１５５ｃｍ、１６０ｃｍ等、適切な身長で表すこともできる。あるいは、ジーンズのモデルは、ウエストサイズで表示されてよい。この場合、ウエストサイズの単位は、インチであり、例えば、「２６」は、ウエストサイズが長さ「１．９ｍ」であることを表し、「２７」は、ウエストサイズが「２．０ｍ」であることを表し、「２８」は、ウエストサイズが「２．１ｍ」であることを表す等である。化粧品のモデルは、しっとりタイプ、さっぱりタイプ等である。
【００４１】
以上のように、ユーザの身体特性データのモデルとビジネスオブジェクトよって表される意味は異なる。表に示す第１データベースにおいて、ユーザの身体特性データは、一般に、単位としてｃｍを使用する。他方、ビジネスオブジェクトのモデルは、一般に、ｃｍを使用して表されず、他の形式で表される。しかしながら、これら２つには、ある関係がある。例えば、ウエストサイズ５４ｃｍを有するユーザは、通常、「サイズ２６」のパンツをはくのが適しており、乾燥肌のユーザは、しっとりタイプの化粧品を使用するのが相対的に適切である。
【００４２】
よって、Ｓ１０４において、現在の第１ユーザの身体特性データと一致するセット内のビジネスオブジェクトのモデルも決定できる。実施される時、多くの異なる実施態様が存在し得る。例えば、ある実施態様において、同じカテゴリのビジネスオブジェクトは、通常、モデルに関して標準的またはユニバーサルな特徴を有する。例えば、異なるジーンズが同じ「サイズ２６」を有する場合、約５４ｃｍのウエストサイズを有する第１ユーザは、それに適している。よって、この実施態様においては、第２データベースを前もって構築できる。第２データベースは、ビジネスオブジェクトのモデルと身体特性データ範囲との第１対応関係の記憶に使用され、各ビジネスオブジェクトカテゴリは、異なる第１対応関係に対応する。異なる第１対応関係において、身体特性データの寸法は異なってよい。例を表３に示す。
【００４３】
【表３】
2018524738.tif 000005
【００４４】
こうして、セット内のあるビジネスオブジェクトに関して、現在の第１ユーザの身体特性データに一致するモデルが決定されると、ビジネスオブジェクトが属する対象カテゴリを最初に決定できる。例えば、対象カテゴリはパンツである。対象カテゴリに対応する対象第１対応関係を次に決定する。例えば、パンツのカテゴリに対応する対象第１対応関係を表３に示す。現在の第１ユーザの対象身体特性データが対象第１対応関係のある身体特性データ範囲内にあるか否かに関して次に決定を行ってよい。例えば、現在の第１ユーザのウエストサイズが５４の場合、表３の第１行は、それに一致する。すなわち、第１行の身体特性データ範囲は、一致に成功した対象身体特性データ範囲である。対象身体特性データ範囲に対応するモデルが、次に、一致した対象モデルとして決定されてよい。すなわち、現在の第１ユーザのウエストサイズに一致する対象モデルが「サイズ２６」であることを決定する。
【００４５】
表３に示す第２データベースは、様々なカテゴリの業界標準等の情報に基づいて事前に構築することができる。さらに、ある特定の実施態様においては、データベースの構造が複雑になりすぎないように、様々なカテゴリに対応する第１対応関係も、異なる第２データベースに記憶できる。さらに、セット内のビジネスオブジェクトが属する各カテゴリの決定の仕方は、Ｓ１０３の記載を参照できるので、ここでは詳細に繰り返して記載しない。
【００４６】
上記は、同じカテゴリに関する対応関係を作成する実施態様であり、高い効率を有する、記憶リソースの占有が少ない、及び、クエリを容易にする等の長所を有する。しかしながら、以下の状況も実際の用途では存在し得る。特定のビジネスオブジェクトのサイズが、異なる業界のモデルはその標準を有するが、実際に、あまり標準的でない場合がある。例えば、あるビジネスオブジェクトのサイズが、大きすぎる、または小さすぎるなど偏っている場合がある。これらの状況においては、身体特性データに一致するビジネスオブジェクトのモデルをカテゴリに従って単純に決定すると、不一致等の状況が生じ得る。
【００４７】
よって、別の実施態様においては、第３データベースも事前に構築されてよい。第３データベースは、ビジネスオブジェクトのモデルと身体特性データ範囲の第２対応関係の記憶に使用される。各ビジネスオブジェクトは、その第２対応関係に対応する。例えば、第３データベースは、表４に示すようなものであってよい。
【００４８】
【表４】
2018524738.tif 000006
【００４９】
上記表４から分かるように、ｉｄ１とｉｄ２は両方ともパンツのカテゴリに属するが、同じモデルに対応する身体特性データ範囲は同じではない。言い換えると、ｉｄ１を有する「サイズ２６」のパンツは、ウエストサイズ３９ｃｍを有するユーザに適切で、ｉｄ２を有するこの種類のパンツは比較的小さく、「サイズ２６」は、ウエストサイズ３８ｃｍを有するユーザにのみ適切である。このように、あるビジネスオブジェクトに関して、現在の第１ユーザの対象身体特性データに一致するモデルを決定する時、対象ビジネスオブジェクトに対応する対象第２対応関係は、最初に、例えば、上記表４にクエリすることによって決定できる。例えば、あるビジネスオブジェクトは、ｉｄ１であり、対応する第２対応関係は表４に示される。対象身体特性データが、対象第２対応関係のある対象身体特性データ範囲にある時、対象身体特性データ範囲に対応するモデルは、対象モデルであると決定できる。例えば、現在の第１ユーザのウエストサイズは、３９ｃｍで、それに一致する対象モデルは、「サイズ２６」であると決定できる。同様に、セット内の他のビジネスオブジェクト、例えば、ｉｄ２に関して、一致したモデルは、ウエストサイズ３９ｃｍを有する現在の第１ユーザに関しては「サイズ２７」であると決定できる。
【００５０】
上記のように、上記第２の実施態様を用いて、記憶が必要なデータ量は増加するが、一致精度は向上し、それによって、ユーザがより適切なモデルの情報を決定するのを助け、且つ、ビジネスオブジェクト情報の有効性をさらに向上させる。
【００５１】
上記第３データベースは、多くの異なる方法で作成できる、例えば、ある実施態様においては、第２ユーザが公表したビジネスオブジェクトの詳細な記載情報、第１ユーザのコメント情報、第１ユーザと第２ユーザであるカスタマー担当者との間の会話等のデータから抽出及び収集できる。あるいは、別の実施態様においては、上記のように第２対応関係の情報のアップロードに使用される操作オプションは、第２ユーザがビジネスオブジェクト情報を公表する時、第２ユーザにも提供されてよい。ビジネスオブジェクトに従って第２ユーザによってアップロードされる特定の第２対応関係は、サーバによって直接、記憶できる。これによって、データ精度は、向上し得る。
【００５２】
要するに、現在の対象第１ユーザの対象身体特性データと、第１ビジネスオブジェクト情報のビジネスオブジェクトに関して対象身体特性データに一致する対象モデルとを決定した後、ビジネスオブジェクトの対応するモデルの各インベントリを決定できる。ある特定の実施態様においては、ビジネスオブジェクトのインベントリに関する情報は、指定インベントリセンタのサーバに一般的に記憶される。よって、クエリ要求は、インベントリセンタのサーバに送信でき、ビジネスオブジェクトの対応するモデルのインベントリ情報は、インベントリセンタのサーバから返信される。
【００５３】
Ｓ１０５において、ビジネスオブジェクト情報は、決定結果に基づいて、対象第１ユーザである顧客に提供される。
【００５４】
詳細には、決定結果に基づいてビジネスオブジェクトを提供する多くの異なる種類の実施態様が、存在し得る。例えば、あるビジネスオブジェクトの対応する対象モデルが在庫している（例えば、現在の第１ユーザに一致するあるジーンズの「サイズ２６」のインベントリが存在する）場合、このビジネスオブジェクトは、第１ユーザに関して有効であることが証明される。第１ユーザが、このビジネスオブジェクトに興味がある場合、モデルの問題は、第１ユーザが購入に失敗することはない。よって、ビジネスオブジェクトが第１ユーザに提供できる。さらに、あるビジネスオブジェクトの対応するモデルが在庫している（ｉｎ  ｓｔｏｃｋ）場合、２つの状況が存在し得る。１つは、ビジネスオブジェクトのモデルが製造中に生産されなかった状況である。あと１つの状況は、対象モデルが売り切れて、もはや販売されないことである。このビジネスオブジェクトの情報が、第１ユーザに提供されても、第１ユーザは、自分のニーズを満たすモデルを購入できないので、ビジネスオブジェクトの情報は、第１ユーザに提供されない。言い換えると、対象モデルが在庫しているビジネスオブジェクトのみが、第２ビジネスオブジェクトセットを形成し、リストページの表示コンテンツが、第２ビジネスオブジェクトセットを用いて、顧客に提供される。明らかに、別の実施態様においては、第１ビジネスオブジェクトセットの前者のビジネスオブジェクトも第１ユーザである顧客に提供できるが、モデルが在庫切れのビジネスオブジェクトは、ラベル付けされてよい。従って、顧客は、モデルが在庫切れのこれらのビジネスオブジェクトに、リストページにおいて、ある識別子を追加できる、例えば、テキスト（例えば、「完売」、「入手不可」等）等の形式で表示して、購入等のためにそのモデルの購入ページに必ずしも入らないように第１ユーザにプロンプトする。
【００５５】
ある特定の実施態様においては、ビジネスオブジェクト情報を第１ユーザである顧客に返信する時、サーバは、モデルが在庫しているビジネスオブジェクトに関して、モデル情報を顧客に返信してよい。顧客は、この種のモデル情報をリストページに直接、表示して、第１ユーザが、自分に適したビジネスオブジェクトのモデルをより直感的に決定することを可能にし得る。この種のモデル情報を提供する多くの異なる方法が、存在してよい。例えば、ある実施態様において、様々なビジネスオブジェクトのリンクの情報は、サーバがリストページの表示コンテンツを第１ユーザである顧客に提供する時に、一般的に提供され、リンクは、一般的に、２つの部分（画像とテキスト）を含むので、ビジネスオブジェクトに対応する対象モデル情報は、リンクの各テキストに追加できる。従って、顧客は、この種の対象モデル情報をリンクの各テキストに提示できる。例えば、図２‐１を参照すると、第１ユーザが、「ブラジャー」を検索すると、返信される様々なビジネスオブジェクトのリンクのテキストは、［お勧め：７５Ｂ］、［お勧め：８０Ｂ]等の情報を含み得る。別の例に関しては、図２‐２を参照すると、第１ユーザが、「ジーンズ」を検索すると、返信される様々なビジネスオブジェクトのリンクのテキストは、「［お勧め：２．３メートル］」、「［お勧め：２．２メートル]等の情報を含み得る。
【００５６】
さらに、ビジネスオブジェクトセットの全てのビジネスオブジェクトが同じカテゴリに属する状況においては、このカテゴリに関連する身体特性データの参照寸法（複数可）と、参照寸法（複数可）の現在の第１ユーザの身体特性データ値（複数可）が、第１ユーザである顧客に提供されて、第１ユーザである顧客が、リストページに表示するのを可能にする。この場合、この身体特性データを修正する操作オプションも提供されてよい。例えば、図２‐１のラベル２０１は、「私の測定値：トップバストサイズ８５ｃｍ、アンダーバストサイズ７５ｃｍ」と表示し、「編集」ラベルを有するボタンも表示されてよい。このボタンは、身体特性データを修正する操作オプションである。現在の第１ユーザが、表示された情報が不正確であることに気付いた場合、または、そのユーザの身体特性データが変わった場合、このオプションを用いて修正できる。修正後、第１ユーザである顧客は、修正身体特性データをサーバにアップロードできる。サーバは提供されたビジネスオブジェクト情報を修正身体特性データに基づいて更新する。サーバは、第１データベースに記憶される第１ユーザの身体特性データも更新してよく、次に、更新した身体特性データを用いて、ビジネスオブジェクト情報を提供してよい。
【００５７】
本出願の実施形態を用いて、第１ユーザの身体特性データは、前もって記憶できる。このようにして、ビジネスオブジェクト情報セットが、第１ユーザに提供される時、ユーザの身体特性データは、最初に、ビジネスオブジェクトのモデルに一致させることができ、ビジネスオブジェクトの一致したモデルが在庫しているか否かについて決定される。こうして、ビジネスオブジェクト情報が、決定結果に基づいて提供できる。例えば、在庫している一致したモデルのビジネスオブジェクト情報のみが、第１ユーザである顧客に提供される。これは、無効な情報の送信が原因のネットワークリソースの無駄を削減できる。さらに、顧客のリストインタフェースに表示される情報の有効性を向上させる。これは、モバイルデバイス等の小さい画面のデバイスで閲覧される状況に特にあてはまる。各画面に表示されるビジネスオブジェクトの数が限られるので、情報の有効性の向上は、より意味がある。
【００５８】
第２の実施形態
第２の実施形態は、第１の実施形態に対応し、第１ユーザである顧客の観点からビジネスオブジェクト情報を提供する方法である。図３を参照すると、方法は、以下の操作を含んでよい。
【００５９】
Ｓ３０１において、第１ユーザ顧客は、サーバからビジネスオブジェクト情報を受信する。ビジネスオブジェクト情報は、次の方法を用いてサーバによって決定される。つまり、第１ユーザの身体特性データの記憶に使用される第１データベースをサーバが事前に構築すること、対象第１ユーザである顧客に関して第１ビジネスオブジェクト情報セットを決定すること、第１データベースに基づいて対象第１ユーザの対象身体特性データを決定すること、対象身体特性データに一致する対象モデルのインベントリが、第１ビジネスオブジェクト情報セットのビジネスオブジェクトに存在するか否かを決定すること、及び、決定結果に基づいてビジネスオブジェクト情報を第１ユーザ顧客に提供することである。
【００６０】
Ｓ３０２において、リスト表示ページの表示コンテンツが、受信したビジネスオブジェクト情報に基づいて生成される。
【００６１】
ある特定の実施態様においては、サーバによって返信された情報は、ビジネスオブジェクトに対応するモデルをさらに含む。この場合、モデルの情報も、リスト表示ページに表示されてよい。詳細には、モデルの情報は、ビジネスオブジェクトのリンクのテキストに表示できる。
【００６２】
さらに、サーバによって返信される情報は、第１ビジネスオブジェクトセットのビジネスオブジェクトが同じ対象カテゴリに属する時、その対象カテゴリに対応する参照寸法（複数可）に関して、対象第１ユーザの対象身体特性データをさらに含んでよい。この場合、顧客は、リスト表示ページの対象カテゴリに対応する参照寸法（複数可）に関して、対象第１ユーザの対象身体特性データをさらに表示してよい。さらに、リストページの参照寸法（複数可）に関して身体特性データを編集する操作オプション。修正身体特性データがこの操作オプションを通して受信されると、修正身体特性データは、サーバにアップロードされて、サーバが、修正身体特性データに基づいて、提供されたビジネスオブジェクト情報を更新するのを可能にする。
【００６３】
第２の実施形態は、第１の実施形態に対応する。関連する実施態様の詳細は、第１の実施形態の記載を参照できるので、ここでは繰り返し記載しない。
【００６４】
第１の実施形態に対応して、本出願の実施形態は、ビジネスオブジェクト情報を提供する装置をさらに提供する。装置は、サーバに適用される。図４を参照すると、装置は、第１ユーザの身体特性データの記憶に使用される第１データベースをサーバが事前に構築するために使用される第１データデータベース作成ユニット４０１と、対象第１ユーザである顧客に関して第１ビジネスオブジェクト情報セットを決定するために使用される第１セット決定ユニット４０２と、第１データベースに基づいて対象第１ユーザの対象身体特性データを決定するために使用される対象身体特性データ決定ユニット４０３と、対象身体特性データに一致する対象モデルのインベントリが第１ビジネスオブジェクト情報セットのビジネスオブジェクトに存在するか否かを決定するために使用されるインベントリ決定ユニット４０４と、決定結果に基づいて対象第１ユーザである顧客にビジネスオブジェクト情報を提供するために使用されるビジネスオブジェクト情報提供ユニット４０５とを含んでよい。
【００６５】
対象身体特性データ決定ユニットは、第１ビジネスオブジェクト情報セットのビジネスオブジェクトが属する各カテゴリと、カテゴリと参照寸法の対応関係とに基づいて、対応する身体特性データ参照寸法の対象第１ユーザの対象身体特性データを第１データベースから抽出するために使用される。
【００６６】
ある特定の実施態様においては、インベントリ決定ユニットは、現在の第１ユーザの身体特性データに一致する第１ビジネスオブジェクト情報セットのビジネスオブジェクトのモデルを決定するために使用される対象モデル決定サブユニットと、ビジネスオブジェクトのモデルのインベントリが存在するか否かを、インベントリセンタのサーバにアクセスすることによって決定するために使用される決定サブユニットとを含んでよい。
【００６７】
ある特定の実施態様においては、装置は、第２データベースを事前に構築するために使用される第２データベース作成ユニットをさらに含み、第２データベースは、ビジネスオブジェクトのモデルと身体特性データ範囲との第１対応関係の記憶に使用され、各ビジネスオブジェクトカテゴリは、異なる第１対応関係に対応し、身体特性データの寸法は、異なる第１対応関係において異なる。
【００６８】
対象モデル決定サブユニットは、第１ビジネスオブジェクト情報セットのビジネスオブジェクトに関して、ビジネスオブジェクトが属する対象カテゴリの決定に使用される対象カテゴリ決定サブユニットと、対象カテゴリに対応する各第１対応関係の決定に使用される対象第１対応決定サブユニットと、対象特性データが対象第１対応関係の対象身体特性データ範囲にある時、対象身体特性データ範囲に対応するモデルを一致した対象モデルに設定するために使用される第１対象モデル決定サブユニットとを含む。
【００６９】
第１セット決定ユニットは、対象第１ユーザである顧客から指定カテゴリを閲覧する閲覧要求を受信すると、閲覧要求に含まれる指定カテゴリの情報に基づいて、第１ビジネスオブジェクト情報セットを決定するために使用される。
【００７０】
対象カテゴリ決定サブユニットは、閲覧要求に含まれる指定カテゴリの情報を、ビジネスオブジェクトが属する対象カテゴリとして設定するために使用される。
【００７１】
あるいは、第１セット決定ユニットは、対象第１ユーザである顧客から検索要求を受信すると、検索要求に含まれる検索キーワードに基づいて、第１ビジネスオブジェクト情報セットを決定するために使用される。
【００７２】
対象カテゴリ決定サブユニットは、検索要求に含まれる検索キーワードに対応するカテゴリ情報を決定するためと、ビジネスオブジェクトが属する対象カテゴリとしてカテゴリ情報を設定するために使用される。
【００７３】
別の実施態様においては、装置は、第３データベースを事前に構築するために使用される第３データベース作成ユニットをさらに含んでよく、第３データベースは、ビジネスオブジェクトのモデルと身体特性データ範囲との第２対応関係の記憶に使用され、ビジネスオブジェクトは、個々に、第２対応関係に対応する。
【００７４】
この場合、対象モデル決定サブユニットは、第１ビジネスオブジェクト情報セットの対象ビジネスオブジェクトに関して、対象ビジネスオブジェクトに対応する対象第２対応関係の決定に使用される対象第２対応関係決定サブユニットと、対象特性データが対象第２対応関係の対象身体特性データ範囲にある時、対象身体特性データ範囲に対応するモデルを一致した対象モデルに設定するために使用される第２対象モデル決定サブユニットとを含む。
【００７５】
ある特定の実施態様においては、ビジネスオブジェクト情報提供ユニットは、対象モデルが在庫しているビジネスオブジェクトを用いて、第２ビジネスオブジェクトセットを形成するために使用される第２ビジネスオブジェクトセット決定サブユニットと、第２ビジネスオブジェクトセットを用いて、リストページの表示コンテンツを顧客に提供するために使用される提供サブユニットとを含む。
【００７６】
より直感的な情報を提供するために、装置は、対象モデル情報提供ユニットをさらに含んでよく、対象モデル情報提供ユニットは、対象モデルが在庫しているビジネスオブジェクトに関して、対象モデルの情報の提供に使用されて、第１ユーザである顧客が、ビジネスオブジェクトの対象モデルの情報をリストページに表示するのを可能にする。
【００７７】
詳細には、対象モデル情報提供ユニットは、対象モデルが在庫しているビジネスオブジェクトに関して、ビジネスオブジェクトの各リンクのテキストに対象モデルの情報を追加するために使用される。
【００７８】
さらに、装置は、身体特性データ提供ユニットも含んでよく、身体特性データ提供ユニットは、第１ビジネスオブジェクトセットのビジネスオブジェクトが全て同じ対象カテゴリに属する時、その対象カテゴリに対応する参照寸法の対象第１ユーザの対象身体特性データを第１ユーザである顧客に提供するために使用されて、第１ユーザである顧客が、リストページにそれを表示するのを可能にする。
【００７９】
第２の実施形態に対応して、本出願の実施形態は、ビジネスオブジェクト情報を提供する装置も提供する。装置は、第１ユーザである顧客に適用される。図５を参照すると、装置は、第１ユーザ顧客がサーバからビジネスオブジェクト情報を受信するために使用される情報受信ユニット５０１であって、ビジネスオブジェクト情報は、第１ユーザの身体特性データの記憶に使用される第１データベースをサーバが事前に構築すること、対象第１ユーザである顧客に関して第１ビジネスオブジェクト情報セットを決定すること、第１データベースに基づいて対象第１ユーザの対象身体特性データを決定すること、対象身体特性データに一致する対象モデルのインベントリが第１ビジネスオブジェクト情報セットのビジネスオブジェクトに存在するか否かを決定すること、及び、決定結果に基づいてビジネスオブジェクト情報を第１ユーザ顧客に提供することを含む方法を用いてサーバによって決定される、情報受信ユニット５０１と、受信したビジネスオブジェクト情報に基づいて、リスト表示ページに表示コンテンツを生成するために使用される表示コンテンツ生成ユニット５０２とを含んでよい。
【００８０】
サーバによって返信される情報は、ビジネスオブジェクトに対応するモデルをさらに含む。装置は、リスト表示ページにモデルの情報を表示するために使用される対象モデル情報提供ユニットをさらに含む。詳細には、対象モデル情報提供ユニットは、ビジネスオブジェクトのリンクのテキストにモデルの情報を表示するために使用される。
【００８１】
サーバによって返信される情報は、第１ビジネスオブジェクトセットのビジネスオブジェクトが同じ対象カテゴリに属する時、その対象カテゴリに対応する参照寸法（複数可）に関する対象第１ユーザの対象身体特性データをさらに含んでよい。装置は、リスト表示ページの対象カテゴリに対応する参照寸法（複数可）に関して対象第１ユーザの対象身体特性データを表示するために使用される身体特性データ提供ユニットをさらに含む。さらに、装置は、参照寸法（複数可）に関して身体特性データを編集する操作オプションをリストページに提供するために使用される編集オプション提供ユニットと、修正された身体特性データがこの操作オプションを通して受信されると、修正された身体特性データをサーバにアップロードために使用されて、サーバが、修正身体特性データに基づいて提供されたビジネスオブジェクト情報を更新するのを可能にする修正データアップロードユニットとをさらに含んでよい。
【００８２】
本出願の実施形態を用いると、第１ユーザの身体特性データは、前もって記憶できる。こうして、ビジネスオブジェクト情報セットが第１ユーザに提供されると、ユーザの身体特性データを、最初に、ビジネスオブジェクトのモデルに一致させることができ、ビジネスオブジェクトの一致したモデルが在庫しているか否かについて決定が行われる。そして、ビジネスオブジェクト情報は、決定結果に基づいて提供できる。例えば、在庫している一致したモデルのビジネスオブジェクト情報のみが、第１ユーザである顧客に提供される。これは、無効な情報の送信が原因のネットワークリソースの無駄を削減できる。さらに、顧客のリストインタフェースに表示される情報の有効性が向上する。これは、モバイルデバイス等の小さい画面のデバイスで閲覧が行われる状況に特にあてはまる。各画面に表示されるビジネスオブジェクトの数が制限されるので、情報の有効性の向上は、より意味がある。
【００８３】
実施形態の上記記載を通して、本開示の実施形態が必要なユニバーサルハードウェアプラットフォームと共にソフトウェアの形態で実施できることを当業者は理解できる。このような理解に基づいて、本開示の実施形態の技術的解決法の本質、または、既存技術への寄与は、ソフトウェア製品の形態で実現してよい。ソフトウェア製品は、不揮発記憶媒体（ＣＤ−ＲＯＭ、磁気ディスク、光学ドライブ等）に記憶されてよく、コンピューティング装置（パーソナルコンピュータ、サーバ、または、ネットワーク装置であってよい）が、本開示の各実施形態または各実施形態の方法の一部を実行するのを可能にする命令を含む。
【００８４】
本開示の実施形態を、漸進的に開示した。実施形態の同じまたは類似の部分は、互いに参照できる。各実施形態は、他の実施形態と異なることに重点を置いている。方法の実施形態に基本的に類似しているので、システムまたはシステムの実施形態の記載は比較的、短く、方法の実施形態の関連部分を参照できる。上記システム及びシステムの実施形態は、単に例示的である。別個の構成要素として記載したユニットは、物理的に別個であってもなくてもよい。ユニットとして表された構成要素は、物理的ユニットであってもなくてもよい、すなわち、１つの場所に位置してもよく、または、複数のネットワークユニットに分散されてもよい。モジュールの一部または全ては、実際のニーズに基づいて、本実施形態の解決法の目的を実施するように選択されてよい。当業者は、創造的努力を行わず、本開示を理解、実施できる。
【００８５】
ビジネスオブジェクト情報を提供する方法及び装置を詳細に記載した。本開示は、本開示の原理及び実施形態の記載に例を使用する。上記実施形態の記載は、本開示の方法及び概念の理解を助けるためにのみ使用される。本開示の概念に基づいて、当業者は、特定の実施形態と適用の範囲を変更することができる。要するに、本明細書の内容は、本開示を制限するものととらえるべきではない。
【図１】
2018524738.tif 000007
【図２−１】
2018524738.tif 000008
【図２−２】
2018524738.tif 000009
【図３】
2018524738.tif 000010
【図４】
2018524738.tif 000011
【図５】
2018524738.tif 000012
【国際調査報告】
2018524738.tif 000013
2018524738.tif 000014
2018524738.tif 000015
2018524738.tif 000016